(57)【要約】【課題】  保持対象物を保持する保持装置は、地震や衝撃でも外れにくくするほど、圧入など厳しい嵌め合い構造になり、装置部分を見ないで保持対象物を着脱することは困難でした。着脱は容易にできて外れにくく、位置と傾き状態を保持できる、保持装置の構造が課題です。【解決手段】  断面が略長方形の板片(Rg)がある第一保持部品(R )と、前記板片(Rg)が中に入る空間を形成する抜け留め板(Js)と端板(Je)と突起(Jp)とを含む構造の第二保持部品(J )とを構成に含む保持装置は、保持面と保持対象物を設定角度(θ)傾けて移動させなければ着脱できない構造で、離れた位置に別の保持部材を組み合わせて、着脱は容易にできて外れにくく、位置と傾き状態を保持できます。さらに前記保持部材がロック保持装置であれば、着脱は容易で、容易に外れない保持装置になります。【選択図】      図６
2008212322.tif 000002
【特許請求の範囲】
【請求項１】
二部品構成の保持装置であって、前記保持装置は、断面略長方形の板片(Rg)が、間隔をあけて保持面または保持対象物に固着されるか形成されている第一保持部品(R )と、前記板片が入る空間を形成する抜け留め板(Js)と端板(Je)と突起(Jp)とを有し、保持面または保持対象物に固着されるか直接形成されている第二保持部品(J )とで構成され、
前記第二保持部品(J )は、固着される場合は保持面または保持対象物に固着できるベース板(Jb)から、また形成されている場合は直接保持面または保持対象物から、前記端板(Je)と前記突起(Jp)とが前記板片(Rg)断面の長辺以上の間隔をあけて突き出しており、
前記端板(Je)は、前記板片(Rg)断面の短辺より長く突き出し、前記抜け留め板(Js)が前記端板(Je)の先端から前記突起(Jp)側へ前記板片(Rg)断面の長辺より短い長さ折れ曲がり、前記突起(Jp)は前記板片(Rg)断面の短辺より短く突き出し、保持面と保持対象物とが設定角度(θ)傾いたとき、前記板片(Rg)が前記空間に出入りできる構造の保持装置。
【請求項２】
請求項１の保持装置と、前記保持装置から離れてあるロック保持装置とからなる構成の保持装置であって、前記ロック保持装置は、保持面または保持対象物に固着されるか形成されている摺動板(Lt)を有する第一ロック保持部品(L )と、前記摺動板のツバ(Lg)と接触して前後の抜け留めとなる、抜け留め板(Ys)を有する第二ロック保持部品(Y )と、二つのロック保持部品で構成され、
前記第一ロック保持部品(L )は、板片のツバ(Lg)が左右位置にあり、前記ツバより狭い幅で左右中央から上下方向へ突き出し、中央部に上下に摺動できる長穴を有する摺動部(Ld)を含む構造の摺動板(Lt)と、前記長穴の外周を前後で挟み、前記摺動部を摺動可能に固定している固定手段部(Lx)とからなる構造で、
前記第二ロック保持部品(Y )は、断面略長方形の抜け留め板(Ys)が、間隔をあけて保持面
または保持対象物に固着されるか形成されている構造で、
前記摺動板(Lt)を摺動させて、前記ツバ(Lg)と前記固定手段部(Lx)とが摺動可能範囲内で最も離れた場合は、前記ツバ(Lg)と前記抜け留め板(Ys)と接触できない位置関係にあり、前記ツバ(Lg)と固定手段部(Lx)とが摺動可能範囲内で最も接近した場合は、前記ツバ(Lg)と前記抜け留め板(Ys)とが最も広い面積で接触して抜け留めとなる位置関係にあるロック保持装置を構成に含む保持装置。
【発明の詳細な説明】
【技術分野】
【０００１】
本発明は、保持対象物の着脱は容易にできて地震や衝撃などでは外れにくい構造の保持装置と、該保持装置を利用して保持対象物を保持する装置構成に関します。
【背景技術】
【０００２】
鉛直面保持装置の代表である従来の壁掛装置は、装着面上に固着したフック機能部材に保持対象物背面に固定した掛け紐を掛けて、また、前記フック機能部材に保持対象物背面上部にある穴や切欠きの下端点を掛けて、また、装着面と保持対象物背面上部に固着した二部品構成の嵌め合い構造の壁掛装置で、保持対象物を保持しています。保持対象物背面にある二部品構造の保持装置は、圧入など厳しい嵌め合い構造が多く、着脱が困難なために、あまり利用されていません。
【０００３】
掛け紐とフック機能部材との構成の壁掛装置は、部材の入手が容易で、保持対象物上方の見える位置で掛ける場合や、保持対象物を前方へ傾けて掛ける場合は、容易に着脱できるので多用されています。しかし、前後に傾かないようにするには、保持対象物の上端に装着面から離れる方向の力がかかっているので難しく、さらに保持対象物背面の見えない位置で、隙間をできるだけ少なくした場合には、隙間に指も入らず、困難な着脱をしています。
【０００４】
穴や切欠きの下端点をフック機能部材に掛ける場合も、保持対象物上方の見える位置で掛ける場合は比較的容易に着脱できますが、保持対象物裏の見えない位置に穴や切欠きがある場合は、装着面に固定されているフック機能部材との位置関係が前面からではわかりません。左右に広がる傾斜は装着のときに左右の位置ずれを助けますが、重量支持部より上方にあるフック機能部材の抜け留め部分に前記穴や切り欠きを差し込むのは困難です。
従来の保持対象物背面に下端点を掛ける構造がある壁掛装置は、保持対象物背面の上端より下がった位置に穴や切欠きがあります。これは、汎用のフック機能部材の抜け留めが差し込まれたとき、抜け留めの上端があたらないようにです。また、前記フック機能部材は、保持対象物背面を装着面に近づけるために突き出し量を少なくしており、保持対象物を傾けて背面下端に隙間を作ると、フック機能部材の抜け留め部分が穴や切欠きに差し込めません。
フック機能部材の抜け留めの高さを低くしたり、突き出し量を多くすればするほど着脱は容易になりますが、地震や衝撃で外れやすくなり、前述の掛け紐同様、離れる方向へ力が働くために、前方へ傾きます。容易な着脱と外れにくい構造は相矛盾するために、重量物や落下しては困る重要な保持対象物を保持する保持装置として、下端点を掛ける壁掛装置構成は用いられていません。
【０００５】
下記[特許文献１]は嵌め合い構造の二部品構成からなる壁掛装置で、平板の左右中央にある台形形状の固定部で固定したＭ部品に、左右が逆Ｕ字形状に折り返され、中央が台形形状に切欠かれているＦ部品を前記平板と取付面との間に差し込み、嵌め合わせる構造です。前後は板厚と隙間との嵌め合い構造で、嵌め合い代が長いと保持対象物は傾きませんが、保持対象物背面には指も入らず、壁掛装置部品を見ないで導入口を嵌め合わせることは困難な構造です。
【０００６】
壁掛装置に限らず、二部品構成で左右位置で嵌め合せて保持する構造を含む保持装置はいろいろ提案されています。着脱を容易にするために、左右方向には傾斜面がある構造もありますが、前後方向は薄い保持装置ほど着脱が困難です。また、外部からの力に対して動かないように固定し、抜け留め対策と、がたつきをなくすために、嵌め合いの部分または近くに圧入や圧接の構造を有していて、圧入や圧接は着脱を困難にしています。
下記[特許文献２]は、連結できる構造を有する物品保持具で、複数の縦部材と横部材と保持部材とで構成され、縦横部材の連結や、保持部材の取付部分に、挿入片を断面リップ溝形の挿入溝に差し込む構造です。連結部分には嵌合突起と嵌合穴との嵌め合いがあり、がたつきを防止して抜け留めになっていますが、保持部材は挿入しているだけなので抜けやすい構造です。いずれの場合でも、装置部分を見ないで容易に着脱できる構造ではありません。
【０００７】
下記[特許文献３]は、壁掛けラックの支持構造で、壁面に接する固定片と隙間をあけて手前左右にあるひれ片とで構成する引掛け具に、壁掛けラックの裏面から突設した横片と左右両端にある縦片に設けた縦方向の突起部を、前記ひれ片に圧接させて保持する構造です。がたつきを前後の圧接でなくしているため、圧接が着脱を困難にしています。また、重量物を置く可能性もあるラックを小さな面積の部品で支持しており、衝撃で破損しない部品強度が必要です。
【０００８】
凹み形状が中央にあり、両側に取り付け用のツバ面があり、鉛直な木壁へ前記ツバ面をネジ止め固定して前後隙間を形成する第一薄板金具と、前記隙間に差し込める厚さと幅の部分があり、間隔をあけて額縁に取り付けられるように略Ｊ字形状をした、第二薄板金具とで構成された「差し込みフック」という壁掛装置があります。圧入や圧接構造はなく、簡単な構造で作りやすい二部品構成の壁掛装置ですが、次の問題点があります。
第一薄板金具は左右二箇所で固定する構造のため、水平な二箇所で固定しないと、額縁が左右に傾いて修正する手段がありません。また、第二薄板金具は下方の上下二箇所で固定する構造のため、外から見えないように固定しようとすると、額縁の外枠ではなく裏板に固定する位置になり、ネジ釘を使うと内部にある作品にキズをつける可能性があり、額縁を保持する強度が保証できません。
重量支持は第一薄板金具の板厚と第二薄板金具の曲面曲げされた下端との線接触なので、がたつきがあり、装着状態で額縁の下端は前後に動かせるので、壁掛装置部品を見ながらであれば着脱は容易ですが、上方へは外れやすく、見ないで前記隙間に差し込むのは困難な構造です。また、薄板などで装着位置の木壁の保持強度が不十分な場合には、補強する手段がありません。
【０００９】
鉛直面での保持には、上方から差し込めば重力が上方へ抜けないように作用しますが、差し込むだけではがたつきがあり、地震などで差し込み方向へ抜く力が働く可能性があります。圧入や圧接を併用しても確実性に乏しく、ロック機構や固着部材などが併用されています。ロック機構を併用すれば、差し込み方向に重力が作用しない天井などの水平面でも保持対象物を保持できます。
下記[特許文献４]は、二部品を位置合わせした後、回転させて嵌め合わせる簡単な構造のロック機構で、鉛直面だけでなく水平面でも有効です。しかし、天井や高い位置の壁面で対象物の重量を支持しながら回転させる動作は容易ではなく、保持対象物に隠れて前記二部品が見えない場合の着脱は困難な構造です。
【００１０】
下記[特許文献５]は鏡の取付構造で、下端は上方から装着穴に差し込み重量を支持し、上端は保持板にある係止部が通過できる挿通穴と通過できないスライド穴部を有する取付基体に、取付具の係止部を差し込み、横方向にスライドさせて鏡の上縁で上方と手前への抜け留めをさせています。鏡の前面にある保持板を動かせるのでできる構造ですが、挿通穴が鏡の裏の見えない場所にあると、係止が確実かどうかの確認ができません。
この事例は、前面と端面が平面で見える場所に保持板がある鏡だから成り立つので、前面と端面が平面でない額縁や壁掛エアコンには応用できません。また、横方向のスライドは係止位置がわからず、内部構造に不案内なユーザでは、不完全な係止位置で使用していて突然外れて、事故につながる可能性もあります。
【００１１】
下記[特許文献６]は、二部品構成の壁掛装置で、一方の部品には部分的に突き出た突起(Pr)があり、他方の部品には着脱時に接触して着脱を容易にする平面(Sf)と、装着位置に前記突起が入る大きさ以上の逃げ空間(Cr)がある構造を含む壁掛装置です。ツバ(Rg)がないので構造は異なりますが、本発明の位置決め板(Rr)と前記突起(Pr)の形状は類似しています。前記突起(Pr)は、着脱時に前記平面と点接触して着脱を容易にするための構造で、装着状態で左右の位置決め機能をする構造ではありません。
その他の実用新案にも同様の突起構造がありますが、いずれも最終装着位置まで重量支持および左右の位置決めの機能面を接触させないための構造です。明記されていませんが、仮に突起(Pr)と逃げ空間(Cr)とが左右位置を決める構造であるとすると、突起(Pr)と逃げ空間(Cr)とは圧入など厳しい嵌め合い構造にしておかねばならず、容易な着脱という課題の解決手段になりません。また、本発明の突起(Jp)はないので、上方へは外れやすい構造です。
【００１２】
下記[特許文献７]は、左右に抜け留め機能のツバがあるフック機能部品と、掛け紐と、保持対象物の背面上部にある保持部材と、保持対象物の背面下部にある間隔保持部材とで構成される、着脱が容易で前後に傾かない壁掛装置です。保持対象物背面の上下の離れた位置で等しい隙間間隔を保持して、前後に傾かない状態を保持します。本発明の突起(Jp)がないので、上方へは外れやすい構造です。
前記ツバの板厚が保持部材の隙間間隔に入って嵌め合い構造にみえますが、従来の二部品構成の壁掛装置とは違い、保持状態でも保持対象物の背面下端に指を入れられる寸法関係で、容易に着脱できる構造が特長です。地震などで上方から外れやすい構造ではありますが、掛け紐があり、万一保持部材が外れても保持対象物の落下を防止します。
【００１３】
参照した特許文献
【特許文献１】フランス特許公開ＦＲ２４２２３６９Ａ（Profiver）:「Dispositif de fixation pour miroirs,tableaux,ou analogues」
【特許文献２】特開２００２−８５２４３：「物品保持具」
【特許文献３】特開２００３−３７４：「壁掛けラックの支持構造」
【特許文献４】特開平１１−２６６９８４：「物品係止装置」
【特許文献５】特開２００１−３２７３７８：「鏡の取付構造」
【特許文献６】特開２００６−１３６７０９：「着脱容易な壁掛装置」
【特許文献７】実用新案登録第３１２６１４８号：「壁掛装置の部品構成」
【発明の開示】
【発明が解決しようとする課題】
【００１４】
従来の二部品構成の壁掛装置は嵌め合い構造になっており、装着面に沿って着脱されます。地震や衝撃でも外れにくくするために、アリ溝を含めた圧入や圧接構造を併用しており、装着面と保持対象物との隙間を狭くするほど着脱は困難になります。圧入や圧接構造を用いなくても、地震や衝撃で外れにくく、着脱は容易にできる保持装置の、部品構造が課題です。
【００１５】
圧入や圧接構造を用いないで、容易に着脱できる保持装置として、ロック機構を有する装置は容易に考えられます。従来技術では着脱方向と直角にロック機構を動かすため装置が厚くなり、装置を薄くして、見栄えをよくするために、外部から見えない位置にロック機構を配置すると、ロック状態を確認することが困難でした。厚さが薄くてロック状態が外部から確認できるロック機構の構造が課題です。
【課題を解決するための手段】
【００１６】
容易に装着できる壁掛装置は、装着の方向へは容易に外れます。通常は重力が作用して外れませんが、地震や衝撃では重力とは反対方向の力も発生します。保持面と保持対象物とが設定された角度傾いたときに着脱できる構造にすれば、保持面と保持対象物との隙間が狭くても容易に着脱でき、保持対象物が設定された角度になった瞬間に、引き抜く方向の力がかかる可能性は極めて低く、着脱は容易にできて外れにくい構造の保持装置になります。
【００１７】
前記保持装置を併用すれば、ロック機構も着脱方向に動かないようにロックする構造である必要はなく、保持対象物が設定された着脱角度にならないようにロックすれば外れることはありません。保持面と保持対象物との隙間が狭くてもロック保持装置を設置でき、保持対象物の端面から係止部分が見えていればロック状態が不完全で、係止部分が見えなければロックされていると確認できる薄くて簡単な構造ですみます。
【００１８】
保持面と保持対象物とにそれぞれある、第一保持部品(R )と第二保持部品(J )とで構成される保持装置は、容易に着脱できて外れにくい保持装置です。前記第一保持部品(R )は断面略長方形の板片(Rg)が間隔をあけて保持面または保持対象物に固着されるか形成されており、前記第二保持部品(J )は前記板片が入る空間を形成する、抜け留め板(Js)と端板(Je)と突起(Jp)とを有し、保持面または保持対象物に固着されるか形成されています。
前記二つの保持部品は保持面と保持対象物のどちらにあってもよく、[図１−１〜４]は、第一保持部品(R )が保持面側で、第二保持部品(J )が保持対象物側、[図１−５〜８]は、第二保持部品(J )が保持面側で、第一保持部品(R )が保持対象物側に配置されています。保持面が鉛直の場合は端板(Je)で重量を支持するため、保持部品の上下が逆になり、保持対象物を傾ける方向も異なりますが、どちら側へも配置できます。
【００１９】
前記第二保持部品(J )の構造は、固着される場合は保持面または保持対象物に固着するベース板(Jb)から、また、形成されている場合は直接保持面または保持対象物から、前記端板(Je)と前記突起(Jp)とが前記板片(Rg)断面の長辺以上の間隔をあけて、前記板片(Rg)断面の短辺より、前記突起(Jp)は短く突き出し、前記端板(Je)は長く突き出し、前記抜け留め板(Js)が前記端板(Je)の先端から前記突起(Jp)側へ、前記板片(Rg)断面の長辺より短い長さ折れ曲がっています。
前記板辺(Rg)が前記空間に出入りできるように、前記抜け留め板(Js)と前記突起(Jp)とは連続しないで隙間があり、保持面と保持対象物が設定角度(θ)傾いたとき、前記板片(Rg)が前記隙間から前記空間に出入りでき、保持面と保持対象物が平行な保持状態では、保持面に直角や平行な方向へ移動させて前記空間に出入りできない構造です。また、前記空間は中にある前記板片(Rg)を設定した角度に傾けられる大きさがあり、圧入や圧接構造ではありません。
【００２０】
前記突起(Jp)があるために、前記空間の中にある前記板辺(Rg)は、保持面に平行な方向へ移動できません。設定角度(θ)に前記板片(Rg)を傾ければ、前記角度(θ)の方向へ移動できます。前記板片(Rg)が傾かなければ、前記角度(θ)の方向へ移動できませんし、前記板片(Rg)が傾いても、保持面に直角や平行な方向へは移動できません。地震や衝撃などで前記条件を満たす可能性は極めて少なく、保持対象物が外れにくい構造です。
【００２１】
請求項２は、請求項１の保持装置と、保持対象物内で、前記保持装置から離れた位置にあるロック保持装置とからなる構成の保持装置で、容易に着脱できて外れない保持装置です。前記ロック保持装置は、保持面または保持対象物に固着されるか形成されている摺動板(Lt)を有する第一ロック保持部品(L )と、前記摺動板のツバ(Lg)と接触して前後の抜け留めとなる、抜け留め板(Ys)を有する第二ロック保持部品(Y )とで構成され、保持対象物と保持面のどちら側へも配置できます。
前記第一ロック保持部品(L )は、板片のツバ(Lg)が左右位置にあり、前記ツバ(Lg)より狭い幅で左右中央から上下方向へ突き出し、中央部に上下に摺動できる長穴を有する摺動部(Ld)を含む構造の摺動板(Lt)と、前記長穴の外周を前後で挟み、前記摺動部を摺動可能に固定している固定手段部(Lx)とからなる構造で、前記第二ロック保持部品(Y )は、断面略長方形の抜け留め板(Ys)が、間隔をあけて保持面または保持対象物に固着されるか形成されている構造です。
【００２２】
前記第一ロック保持部品(L )の摺動板(Lt)を摺動させて、前記ツバ(Lg)と前記固定手段部(Lx)とが摺動可能範囲内で最も離れた場合は、前記ツバ(Lg)と前記抜け留め板(Ys)とは接触できない位置関係になり、保持対象物を前後に自由に移動できます。前記ツバと固定手段部とが摺動可能範囲内で最も接近した場合は、前記ツバ(Lg)と前記抜け留め板(Ys)とが最も広い面積で接触して抜け留めとなり、保持対象物を前後に移動できなくして、保持対象物は設定角度(θ)に傾けられなくなります。
【００２３】
前記固定手段部(Lx)は、保持面か保持対象物に形成されている場合は、前記摺動板(Lt)を摺動可能に固定する機能ですが、部品の場合は第一ロック保持部品(L )を保持面か保持対象物に固着するか、上方で固定された線部材(FH)に連結固定する固定手段を有しています。前記固定手段とは、保持面にネジ釘やピンなどで固定する手段のほか、保持対象物が保持面から離れようとする力に対抗できれば、接着など他の手段でもかまいません。
【００２４】
装着のときは、前記ツバ(Lg)と前記抜け留め板(Ys)とが接触できない位置関係にして、離れた位置にある請求項１の保持装置で重量を支持し、前記二つのロック保持部品を接触させます。前記摺動板(Lt)を保持対象物内部に押し込んで、前記ツバ(Lg)と前記抜け留め板(Ys)とを接触させて、保持面と保持対象物とが傾かないように保持します。離れた位置にある保持装置は、保持面と保持対象物とが設定角度(θ)傾かなければ外れません。
外すときは、保持対象物の前面を支えながら前記摺動板(Lt)にあるレバー(Lv)を保持対象物から引出し、保持面と保持対象物とが傾く状態にして、設定した角度(θ)傾けて引き出すと外れます。
【発明の効果】
【００２５】
本発明の保持装置は、圧入や圧接構造ではなく、保持面と保持対象物が設定された角度になったときに着脱できる構造です。保持状態でも保持面に対して保持対象物を傾けることができ、保持面と保持対象物との隙間が狭くても容易に着脱できます。地震や衝撃などで、保持対象物が設定された角度になり、さらに外す方向の力がかかる可能性は極めて少ないので、着脱は容易にできて外れにくい構造です。
【００２６】
本発明のロック保持装置は保持対象物の端部にあり、摺動板(Lt)を保持面と平行に摺動させますので、保持面に直角に動かす従来のロック機構と比べて薄い構造です。ロックが無効な状態ではツバ(Lg)が保持対象物の端部から出ているので外部から見え、見えなければロックが有効な状態であることが容易に確認できる構造です。
【発明を実施するための最良の形態】
【００２７】
容易に着脱できて前後左右に傾かず外れにくい壁掛装置を、[図６]で説明します。額縁の下端部中央に木ネジ固定した第一保持部品(RS)と、上方で一端を固定した線部材(FH)に装着面の対応する位置で連結固定し、抜け留め固定した第二保持部品(JH)と、額縁の上端部中央に木ネジ固定した第二ロック保持部品(YS)と、装着面の対応する位置で前記線部材(FH)に連結固定し、抜け留め固定した第一ロック保持部品(LH)とで構成される壁掛装置です。
【００２８】
下端部に配置された本発明の保持装置は、[図７−１〜４]に構成部品と組み合わせ方が図示されています。第一保持部品(R )と第二保持部品(J )とで構成され、装着面に対して保持対象物である額縁を設定角度(θ)傾けて、着脱ができる構造です。
第一保持部品(RS)を、[図８−１]に示します。左右にあるツバ(Rg)と、前記ツバの中央から下方へ突き出た位置決め板(Rr)と、第二保持部品(JH)の固定手段部(Jx)と接触して、装着面と額縁との隙間間隔を保持する接触板(Rt)と、額縁下端枠へネジ止め固定する固定手段部(Rx)と、からなる構造です。
第二保持部品(JH)を、[図８−２]に示します。装着面と接触するベース板(Jb)と、前記ツバ(Rg)の抜け留めとなる前記ツバの半分の高さの抜け留め板(Js)と、前記抜け留め板の下端とベース板とをつなぐ端板(Je)と、前記ツバ(Rg)が装着面に平行に、上方から出入りするのを妨げて、設定した角度(θ)に前記ツバを傾ければ出入りできる高さの突起(Jp)とで、前記ツバの断面外周を囲む空間を形成しています。
【００２９】
断面寸法は、ツバ(Rg)の板厚(tR)が２mm、ベース板(Jb)と抜け留め板(Js)との隙間間隔(gJ)が３mm、抜け留め板(Js)の板厚(tJ)が２mm、ツバ(Rg)と保持対象物との隙間間隔(gR)が３mm、ツバ(Rg)の高さが１０mm、端板(Je)と突起(Jp)との高さ間隔が１０．２mm、また突起(Jp)の突き出し量(pJ)は２mmです。左右寸法は、位置決め板(Rr)の左右幅(wr)が１５mm、端板(Je)の左右幅(we)が１６mmとなっており、圧入や圧接寸法はありません。
上記寸法では、ツバ(Rg)がベース板(Jb)に対して角度(θ)１３°傾いた状態で、前記空間に出し入れすることができ、前記角度(θ)は、着脱のときに保持面に対して保持対象物を傾ける角度です。前記突起(Jp)がない構造と比べて、地震などでは容易に外れない構造になっています。
【００３０】
下端部に配置された本発明の保持装置は、額縁を設定された角度(θ)に傾けたまま斜めに持ち上げる力をかけなければ外れないのが、最大の特徴です。前記条件にして人が着脱するのは容易ですが、地震や衝撃で条件が合致することは極めて稀です。この特徴によって、容易に着脱できるにもかかわらず外れにくいという矛盾した課題を解決しています。
【００３１】
額縁の上端部に配置された本発明のロック保持装置は、[図９]に構成部品と組み合わせ方を図示しています。第一ロック保持部品(LH)と第二ロック保持部品(YS)とで構成され、[図９−４]の右図に示すように、摺動板(Lt)を引き上げた状態で保持対象物を装着して、[図９−４]の左図に示すように下方へ押し込んだ状態で保持します。
第一ロック保持部品(LH)は、左右位置にある板片のツバ(Lg)と、前記ツバの下部で左右の位置を決める位置決め板(Lr)と、前記ツバより狭い幅で左右中央から下方へ突き出し、中央部に上下に摺動できる長穴がある摺動部(Ld)と、上端にレバー(Lv)と、を含む構造の摺動板(Lt)と、前記長穴の外周を前後で挟み、前記摺動部を摺動可能に固定すると共に、前記線部材(FH)に連結固定して装着面に抜け留め固定する固定手段部(Lx)とで構成されています。
第二ロック保持部品(YS)は、額縁背面の上端部に接触して固定手段部(Yx)で固定されるベース板(Yb)と、前記摺動板のツバ(Lg)を前後で挟む間隔(gY)をあけて抜け留めとなる、抜け留め板(Ys)と、前記位置決め板(Lr)が摺動可能に挿入できる間隔(we)をあけて、前記抜け留め板(Ys)を固定している端板(Ye)と、を有する構造です。
【００３２】
上端部に配置された本発明のロック保持装置は、下端部に配置された本発明の保持装置が額縁を設定された角度(θ)傾けなければ着脱できないので、離れた位置で前記設定角度に傾かないように保持することで、外れないようにするのが最大の特徴です。装着方向へ動かないように、装着方向と直角に係止板を動かしてロックする従来のロック機構とは異なる構造で、ロック状態が外部からも容易にわかります。
【００３３】
[図９]の寸法例は、摺動板(Lt)にある前記長穴は幅１２mm＊長さ２５mmで、固定手段部(Lx)は、前記長穴内が幅１１．５mm＊長さ１５mm、摺動部(Ld)を前後で挟む部分は幅１８mm＊高さ１５mmです。前記摺動板(Lt)は上下に１０mm摺動させることができ、最も離れた位置では抜け留め板(Ys)の高さ８mmから完全に外れます。位置決め板(Lr)の左右幅が２０mm、端板(Ye)の左右間隔(we)も２０mmで軽圧入になっており、地震や衝撃でも摺動板(Lt)を動きにくくしています。
断面寸法は、前記ツバ(Lg)の板厚(tL)が２mm、保持面との隙間間隔(gL)が３mm、前記ツバ(Lg)を挟む保持対象物側固定手段部(Lx)の板厚が２mm、抜け留め板(Ys)の板厚が２mm、抜け留め板とベース板(Yb)との隙間間隔(gY)が２mmで、前記固定手段部(Lx)は保持面から８mm突き出して、先端と保持対象物とが保持状態で直接接触するため、第二ロック保持部品(YS)の中央部にはベース板(Yb)がありません。
【００３４】
装着手順は、第一ロック保持部品(LH)のレバー(Lv)を上方へ持ち上げた状態で、額縁を手で持って第二保持部品(JH)の上方へ第一保持部品(RS)を持ち上げます。額縁を設定角度(θ)傾けて、位置決め板(Rr)を第二保持部品(JH)の端板(Je)の間に差し込みます。重量が支持されますので、額縁の上端を装着面へ押しつけながら、第一ロック保持部品のレバー(Lv)をゆっくり下げます。ツバ(Lg)が上端から見えなくなれば、確実にロックされています。
外すときは、第一ロック保持部品(LH)のレバー(Lv)をツバ(Lg)の下端が見える位置まで持ち上げると、ロック保持機構が外れます。重力による回転モーメントが作用して額縁は手前に倒れてきますので、設定角度(θ)傾けて斜めに持ち上げれば容易に外れます。
【００３５】
上述した構造は一つの実施例で、装着面は鉛直面に限定されず、水平面や傾斜面でも、また宙吊り状態でもよく、第二ロック保持部品(YS)を装着面に固定または形成して、第一ロック保持部品(LS)を保持対象物に固定することも自由です。また寸法も、保持対象物の重量や保持部品の材料と強度などから安全を考えて自由に設定できます。
【実施例１】
【００３６】
[図１]は本発明の壁掛装置構成の一実施例で、装着面にネジ止め固定した第一保持部品(RS)と、保持対象物にネジ止め固定した第二保持部品(JS)と、保持対象物の下端部で接触して間隔を保持する、間隔保持部材(SH)とで構成される壁掛装置です。装着状態の側断面図を[図１−１]に、正面図を[図１−３]に示し、保持状態の側断面図を[図１−２]に示します。
第一保持部品(RS)は、装着面と間隔をあけて平行に固定される、左右にある板片のツバ(Rg)と、前記ツバの中央から上方へ突き出た位置決め板(Rr)と、装着面へビス止め固定する固定手段部(Rx)と、からなる構造です。
第二保持部品(JS)は、保持対象物と接触してネジ止め固定されるベース板(Jb)と、前記ツバ(Rg)の厚みを挟んで抜け留めとなる前記ツバ(Rg)の半分の高さの抜け留め板(Js)と、前記抜け留め板(Js)の上端とベース板(Jb)とをつなぐ端板(Je)と、前記ツバ(Rg)が装着面と平行に出入りするのを妨げ、設定した角度(θ)に前記ツバを傾ければ、出入りすることができる高さの突起(Jp)とを有する構造です。
【００３７】
前記ツバ(Rg)に掛けた左右の端板(Je)で、重量を支持しながら水平を維持し、前記位置決め板(Rr)が端板(Je)の間に入って左右の位置を決め、抜け留め板(Js)と前記ツバ(Rg)との接触と、前記間隔保持部材(SH)の厚さとで、上下端の前後位置が規制されて前後の傾きが保持される構成です。
【実施例２】
【００３８】
[図２]は、容易に着脱できて外れにくい本発明の保持装置を利用した水平下面係止装置で、天井に鏡を取り付ける実施例です。[図２−１・２]には側面と下面から見た装置構成図を示します。本発明の保持装置(RS)・(JS)と、ロック保持装置(LS)・(YS)と、安全線部材(FS)とで構成される係止装置で、[図２−３]は、下方から上方へ装着手順を示しています。
【００３９】
[特許文献５]の鏡の取付構造は、洗面化粧台に鉛直に鏡を取り付ける構造で、鏡の前面で左右にスライドできる取付基体があり、背面の挿通穴部で係止部を差し込んで左右方向に動かし、スライド穴部の縁を係止して鏡を係止する構造です。天井下の水平面にも応用できなくはありませんが、左右の係止位置が明確にわからないので、不完全な位置にあって天井から落ちたら危険です。
【００４０】
本発明の保持装置による構成の水平下面係止装置は、ロック機構のレバーが鏡の端部から引き出されるか押し込まれるかで、ロック状態が一目でわかります。[図２−２]に一例を示すように、鏡の一端部の二つの角部に第一保持部品(RS)を、対辺となる端部の中央に第二ロック保持部品(YS)を補助板に固定し、対応する位置の天井下に、第二保持部品(JS)と第一ロック保持部品(LS)をネジ止め固定します。第一ロック保持部品の固定手段部(Lx)と保持対象物に安全線部材(FS)を固定します。
装着手順は、[図２−３]下方より、第一ロック保持部品(LS)の摺動板(Lt)を保持対象物の外側へ引き出しておき、保持対象物に一端を固定した安全線部材(FS)の紐の他端を第一ロック保持部品の固定手段部(Lx)に固定します。鏡を天井から設定角度(θ)傾けて、他端にある第一保持部品(RS)を、天井下にある第二保持部品(JS)に差し込みます。第二ロック保持部品を天井に押し付けながら、第一ロック保持部品のレバー(Lv)を鏡の方へ押し込みます。
外すときは、保持対象物のロック保持装置側を天井へ押しつけながら第一ロック保持部品のツバ(Lg)が見える位置までツバ(Lg)を引き出し、鏡を設定角度(θ)傾けて保持対象物を持って引き出し、安全線部材(FS)を外せば外れます。
【００４１】
従来の水平面係止装置や照明器具のロック装置と違って、本発明のロック保持装置は、外部から見えるか見えないかでロック状態が判断できます。レバー(Lv)を工具を使わなければ引き出せないようにすれば、不特定多数の人が触れられる場所でも安全です。また、安全線部材(FS)は万一の時の落下防止だけでなく、重量を支持しながら着脱作業ができますので、高い鉛直面や天井下でも一人で安全に作業することができます。
【００４２】
上述した構成は一つの実施例で、水平下面に限らず鉛直面や傾斜面でも利用でき、第一保持部品(RS)を保持面に、第二保持部品(JS)を保持対象物に固定したり、形成したベース板を用いることも自由です。また、寸法も保持対象物の重量や保持部品の材料と強度などから安全を考えて自由に設定できます。天井面や棚の下面など水平下面は現在あまり利用されていませんが、着脱が容易で安全な本発明の保持装置は、今後さまざまな分野で応用できます。
【実施例３】
【００４３】
[図３−２]は地面や床に立てた支柱の倒れ防止用の水平上面係止装置で、本発明の保持装置とロック保持装置を応用して支柱を保持している実施例です。[図３−１]には側方と上方から見た倒れ防止装置の構造図を示します。支柱下端にあり支柱に垂直な第一ベース板(BO)と、地面や床に固着される第二ベース板(BI)の、角部二箇所に保持装置(RS)・(JI)と、対辺側中央部にロック保持装置(LS)・(YI)が配置されています。
【００４４】
従来の支柱は、[図３−３]に示すように下端部に水や砂を入れるタンクを持っており、重心の位置を下げて支柱が倒れないよう保持していましたが、移動のたびに水や砂を入れたり抜いたりする作業は大変でした。移動が多い物干し台や、毎日出し入れする商店街ののぼり立てなど、さまざまな分野で利用されていますが、容易に着脱できて倒れない安全な支柱立てではありませんでした。
【００４５】
本発明の保持装置を含む構成の水平上面係止装置は、支柱下端にある第一ベース板(BO)の一つの端部中央に第一ロック保持部品(LS)が組み付けられ、離れた端部の角部二箇所に第一保持部品(RS)がネジ止めされています。地面や床に固着される第二ベース板(BI)の一つの端部中央に第二ロック保持部品(YI)が形成され、離れた端部の角部二箇所に第二保持部品(JI)が形成されている構成です。
【００４６】
装着手順は、第一ロック保持部品(LS)の摺動板(Lt)を前記ベース板(BO)の外側へ引き出しておき、支柱を設定角度(θ)傾けて持って、二つの第一保持部品(RS)を、第二保持部品(JS)に差し込みます。支柱を鉛直にすれば、下端の第一ベース板(BO)が水平になって第二ベース板(BI)と接触しますので、前記摺動板(Lt)のツバ(Lg)が見えなくなるまで押し込みロックします。
外すときは、前記ツバ(Lg)が第一ベース板(BO)の外側に見える位置まで摺動板(Lt)を引き出し、支柱を角度(θ)傾けて持って引き出せば容易に外れます。
【００４７】
地面や床に固着される第二ベース板(BI)の高さは４mm程度で、床面上にあっても邪魔にはなりませんが、支柱を立てる位置が決まっていれば、埋め込んで、支柱を立てないときは上部を平にする構造も可能です。タンクに水や砂を出し入れする作業や、重量物を持ち運ぶ困難な作業がなくなり、支柱が倒れないように安全に保持できます。
【００４８】
支柱の倒れ防止装置の実施例として説明しましたが、机や棚に置くものでも重心が高くて倒れては困る花瓶やグラスや、落下して破損しては困る高価な骨董品やガラスや陶磁器など、水平上面で動かないように保持したい保持対象物は身の回りに多くあります。また底面積の小さい物や、細かな物は、ロック保持装置を用いないで本発明の保持装置だけでも十分機能します。
第二ベース板(BI)を工夫すれば、一つ一つとり外したり運んだり大変だった作業を、前記ベース板毎にまとめて動かすことができます。同一商品を並べて陳列している場合などには、大変便利です。着脱が容易で外れない本発明の保持装置は、さまざまな分野で応用できます。
【実施例４】
【００４９】
[図４]は従来の突っ張り棒や突っ張り棚に替わって、本発明の保持装置を利用した横棒吊下げ保持装置の実施例です。[図４−１]は第一保持部品(RS)と第二保持部品(JH)の部品図、[図４−２]は保持状態図、[図４−３]は装着図を示します。横棒(Ｏbj)の両端には、第一保持部品(RS)がネジ止めされ、横棒を保持する位置の上方で一端を固定された線部材(FH)に第二保持部品(JH)を連結固定した構成の保持装置です。
【００５０】
従来の突っ張り棒や棚は、対向する鉛直面に伸縮棒や棚の端面を押しつけて、摩擦力で伸縮棒や棚を鉛直面に保持する保持装置で、鉛直面にキズや接着材を付けないで保持できて、着脱が容易なのでよく利用されています。しかし対向面の間隔にあった長さの伸縮棒や棚が必要で、対向面の保持強度が同じ所はなく、摩擦力による重量支持なので重量物を掛けたり置いたりすれば、落下していました。
落下しないように、接着したり補強部品ネジ止めしたのでは、始めから突っ張り棒や棚でない方が構造も簡単で強固に固定できます。また、着脱は容易であっても、外した後の棒や棚、および掛けたり置いたりしていた保持対象物の保管場所にも困っていました。
【００５１】
本発明の保持装置を使った横棒吊下げ保持装置は、横棒左右端位置の上方で一端を固定された線部材(FH)に第二保持部品(JH)を連結固定し、横棒の両端で重量を支持する構成です。突っ張り棒や棚に必要だった対向面はあってもなくてもよく、横棒や棚も伸縮してもしなくてもよく、突っ張って力をかけた状態で固定する必要がなく、なにより突っ張った抗力による摩擦力で保持するのではないので、落下の不安がありません。
【００５２】
本発明の保持装置は、設定角度(θ)傾けなければ着脱できません。連結支持する線部材(FH)は変形自在なので、重力がかかり引っ張られた状態で前記設定角度(θ)になることはありません。装着するだけで、ロックと同じ効果があります。外したいときは、見ながら外せますので、極めて容易です。
上方から吊るしていますので、横棒や棚の高さ位置を自由に設定できる構成です。上方の線部材(FH)固定位置に上下に移動できる機構を設ければ、最適な高さで掛けたり置いたりして、上方に持ち上げて邪魔にならない場所で保持することもできます。また使わないときは天井面にあって、使うときだけ最適な高さに設置すれば、横棒や棚を使わないとき外して片付けておく収納場所も必要なくなります。また、多段構成も容易にできます。
【００５３】
突っ張り棒や突っ張り棚に替わる吊下げ保持装置の構成実施例として説明しましたが、常時床に置いたり壁や柱に掛けたりしておくのではなく、洗濯物のように、一時的に空中の適当な高さに保持したいものは多くあります。着脱が容易で安全に保持できる本発明の保持部品を使った吊下げ保持装置は、さまざまな分野で応用できます。
【実施例５】
【００５４】
[図５]は、既設されている机(Ｔbl)の天板を一時的に広くしたい場合に、本発明の保持装置を使って着脱容易な拡張板(ＳBd)を増設する実施例です。[図５−１]に、増設する脚(Ｓpt)の装着図を、[図５−２・３・４]に、拡張する板(ＳBd)の装着図を、[図５−５]は拡張した板(ＳBd)を透視して見た平面図で、本発明の保持装置(CS)・(JS)と、ロック保持装置(LS)・(YO)の部品配置を示します。
【００５５】
従来は、天板の面積が不足する場合はサイドテーブルや物置台を近くに常設しており、必要な面積の板を必要な位置に拡張したり縮小したりという使い方はできませんでした。既製品は高さや面積を自由に変えられないので、体格や作業量で、その都度天板の高さや面積を変えることはできません。組み立て分解が容易にできる拡張板があれば、既製品を中心に、体格や作業に応じて最適な高さと面積の環境を得られます。
【００５６】
本発明の保持装置を使った拡張テーブルは、[図５−１]に示すように、既成机(Ｔbl)の天板の側面に第一保持部品(CS)を取り付け、天板と高さを合わせたＬ字形状の二本の増設脚(Ｓpt)の一端面に第二保持部品(JS)をネジ止めします。[図５−５]に示すように、天板の同一側面に拡張板(ＳBd)の左右幅で取り付けます。前記増設脚の上端面には第一ロック保持部品(LS)が組み付けられ、前記拡張板の対応する位置に、第二ロック保持部品(YO)が形成されている構成です。
【００５７】
組み立て手順は、二本の増設脚(Ｓpt)を設定角度(θ)傾けて前記第一保持部品(CS)に差し込み、床面に置くだけで増設脚は保持されます。次に、第一ロック保持部品(LS)の摺動板(Lt)を外側へ引き出しておき、拡張板(ＳBd)を載せ、前記摺動板のツバ(Lg)が見えなくなるまで押し込みロックします。
外すときは、前記ツバ(Lg)が拡張板(ＳBd)の外側に見える位置まで二つの摺動板(Lt)を引き出し、前記拡張板を持ち上げれば外れます。次に、増設脚(Ｓpt)を設定角度(θ)傾けて上方へ持ち上げれば外れます。
【００５８】
第二保持部品(JS)は、本発明の突起(Jp)がないＪ字形の差し込みフックでも構いませんが、持ち上げる方向の振動や衝撃では外れやすくなります。一時的であれば、第一ロック保持部品(LS)は使わなくても良いかも知れません。拡張板(ＳBd)が左右に動かないよう、前記拡張板下面の二本の増設脚(Ｓpt)の内側にあたる位置に突起(Bp)を設けてあります。
【００５９】
既成机を核にした拡張板増設の実施例として説明しましたが、柱や壁、ベッドやタンスなど据え置き家具、専用支柱を立てるなど、組み立て分解が容易なので、さまざまに活用できます。増設脚(Ｓpt)は他端を床に置きますが、高さが同じであれば他の家具や置き台に渡してもよく、前述した吊下げ保持装置と組み合わせて拡張することも可能です。外れにくい構造の保持装置なので、誤って拡張板を外す可能性は少なく、常設と同じ安全性が得られます。
食卓では、食事のときだけ拡張すれば、大勢で食卓を囲み、調理しながらご馳走が食べられます。従来より、椅子に座るときには椅子を机の方へ寄せていましたが、机と体との間に拡張板をおけば、子供や手の不自由な方も容易に食事ができます。着脱が容易で外れない本発明の保持装置は、さまざまな分野で応用できま
す。
【産業上の利用可能性】
【００６０】
容易に着脱できて外れにくい本発明の保持装置はさまざまな分野で利用でき、壁掛装置に代表される鉛直面保持装置、水平下面係止装置、倒れ防止装置、吊下げ保持装置、拡張テーブルへの応用など説明してきましたが、他の分野でも利用できます。ある角度(θ)に傾けて着脱が可能になる構造は、簡易なキーの役目もでき、応用分野はさらに広がるものと思われます。
【図面の簡単な説明】
【００６１】
【図１】第一保持部品(RS)と第二保持部品(JS)と間隔保持部材(SH)構成の壁掛装置[１]  保持部品(RS)(SH)を設置した壁面に保持部品(JS)を固着した額縁を装着する側面図[２]  保持部品(RS)(SH)を設置した壁面に額縁を保持した状態を側面から見た図[３]  保持部品(RS)(SH)を設置した壁面に保持部品(JS)を固着した額縁を装着する正面図
【図２】天井に鏡を取り付ける水平下面係止装置[１]  保持装置(RS)(JS)とロック保持装置(LS)(YS)と線部材(FS)構成の装着側面図[２]  保持装置(RS)(JS)とロック保持装置(LS)(YS)との配置を下面から見た図[３]  天井に鏡を取り付ける手順を下方から示した側面から見た図
【図３】ポールスタンドなど倒れ防止装置(水平上面係止装置)[１]  保持装置(RS)(JI)とロック保持装置(LS)(YI)構成を側面と上面から見た配置図[２]  保持装置(RS)(JI)とロック保持装置(LS)(YI)の位置を側面から見た図[３]  従来の重りタンクを持ったポールスタンドの側面図
【図４】突っ張り棒や棚に替わる横棒吊下げ保持装置[１]  突っ張り棒両端にネジ止めする保持部品(RS)と吊下げ保持部品(JH)の部品図[２]  突っ張り棒両端を吊下げ保持部品(JH)で保持した保持状態図[３]  突っ張り棒両端の保持部品(RS)に吊下げ保持部品(JH)を装着する装着状態側面図
【図５】本発明の保持装置の拡張テーブルへの応用例[１]  保持部品(CS)を固着した天板に保持部品(JS)を固着した増設脚を装着する側面図[２]  保持装置(CS)(JS)で保持した増設脚に拡張板(ＳBd)を装着する状態を見た側面図[３]  左右の増設脚(Ｓpt)に拡張板(ＳBd)をロック保持装置で装着する状態を見た側面図[４]  左右の増設脚(Ｓpt)に拡張板(ＳBd)をロック保持装置で装着した状態の側面図[５]  左右の増設脚(Ｓpt)に拡張板(ＳBd)をロック保持装置で装着した状態を見た平面図
【図６】本発明の保持装置を下端に、ロック保持装置を上端に配置した壁掛装置[１]  保持部品(LH)(JH)を設置した壁面に保持部品(YS)(RS)を固着した額縁装着の側面図[２]  保持部品(LH)(JH)を設置した壁面に額縁(Ｏbj)を保持した状態の側面図[３]  上端のロック保持装置と下端の保持装置とで額縁(Ｏbj)を保持した状態の正面図
【図７】本発明の保持装置の基本構造部分の側断面図と装着保持図[１]  保持対象物に固着した第一保持部品(R )の基本構造部分の側断面図[２]  保持面に固着した第二保持部品(J )の基本構造部分の側断面図[３]  保持面に固着した第二保持部品(J )に第一保持部品(R )を装着する側断面図[４]  保持面に固着した第二保持部品(J )で第一保持部品(R )を保持した状態の側断面図[５]  保持対象物に固着した第二保持部品(J )の基本構造部分の側断面図[６]  保持面に固着した第一保持部品(R )の基本構造部分の側断面図[７]  保持面に固着した第一保持部品(R )に第二保持部品(J )を装着する側断面図[８]  保持面に固着した第一保持部品(R )で第二保持部品(J )を保持した状態の側断面図
【図８】本発明の保持装置の一実施例を示す部品図と装着保持図[１]  保持対象物の下端部にネジ止め固着した第一保持部品(RS)の正面図と側断面図[２]  保持面上で連結固定と抜け留め固定した第二保持部品(JH)の側断面図と正面図[３]  保持面上で連結固定した第二保持部品(JH)に第一保持部品(RS)を装着する側断面図[４]  保持面上で連結固定した第二保持部品(JH)で第一保持部品(RS)を保持した側断面図
【図９】本発明のロック保持装置の一実施例部品の部品図と側断面装着保持図[１]  連結固定した第一ロック保持部品(LH)の側断面図と正面図[２]  第一ロック保持部品(LH)の側断面図と正面図[３]  保持部品(RS)(SH)を設置した壁面に保持部品(JS)を固着した額縁を装着する正面図
【符号の説明】
【００６２】
BO：保持対象物に固着される第一ベース板
BI：保持面に固着される第二ベース板
CI：(S )と嵌め合って位置を規制する、保持面に直接形成された第二位置決め保持部品
CS：(JS)と嵌め合って位置を規制する、ネジ止め固定した第二位置決め保持部品
FH：上方で一端を固定されたワイヤや紐など連結線部材
gJ：Rgの板厚が入る隙間間隔
gL：Ygの板厚が入る隙間間隔
gR：Jsの板厚が入る隙間間隔
gY：Lgの板厚が入る隙間間隔
J ：JsとJeとJpとを有し、保持面または保持対象物にある第二保持部品
Jb：J*が固着される場合は保持面または保持対象物に固着できるベース板
Je：Jsの端にありJbとJsを繋いでいる端板
JH：連結線部材に連結固定される第二保持部品
JI：JsとJeとJpとを、保持面または保持対象物に直接形成した第二保持部品
Jp：Jbまたは保持面または保持対象物から、Rgの断面短辺より短く突き出している突起
Js：Jeの先端からJp側へRgの長辺より短い長さ折れ曲がっている抜け留め板
JS：ネジ(SC)止めされる第二保持部品
Jx：第二保持部品の固定手段部
L ：第一ロック保持部品
Ld：第一ロック保持部品の摺動板の摺動部
Lg：第一ロック保持部品の摺動板のツバ
LH：連結線部材に連結固定される第一ロック保持部品
Lr：第一ロック保持部品の摺動板にある左右の位置決め板
Lt：第一ロック保持部品の摺動板
Lv：第一ロック保持部品の摺動板にあるレバー
Lx：第一ロック保持部品の固定手段部
Ｏbj：額縁など保持対象物
pJ：突起Jpの突出量
PN：ピン
R ：板片を有する第一保持部品
Rg：間隔をあけて保持面または保持対象物にある断面略長方形の板片
RH：上方で一端を固定された連結線部材(FH)に連結固定する第一保持部品
Rr：左右の位置を規制するための位置決め板
RS：保持面または保持対象物にビス止め固定される第一保持部品
Rt：接触して間隔を保持する第一保持部品の接触板
Rx：第一保持部品の固定手段部
ＳBd：拡張する板
SC：木ネジやビスなどのネジ類
Ｓpt：増設する脚
SR：(C )と嵌め合って位置を規制する、線部材(FH)に連結固定した第一位置決め保持部品
SS：(C )と嵌め合って位置を規制する、ビス止め固定した第一位置決め保持部品
Ｔbl：既設されている机
tJ：第二保持部品の抜け留め板の板厚
tL：第一ロック保持部品のツバの板厚
tR：第一保持部品の板片の板厚
tY：第二ロック保持部品の抜け留め板の板厚
Ｗal：壁面など鉛直保持面
we：左右の端板間の距離
wr：位置決め板の左右端の距離
Y ：第二ロック保持部品
Yb：第二ロック保持部品のベース板
Ye：第二ロック保持部品の抜け留め板を固定する端板
YS：ネジ止め固定される第二ロック保持部品
Ys：第二ロック保持部品の抜け留め板
Yx：第二ロック保持部品の固定手段部
θ：板片(Rg)が第二保持部品の空間内へ出入りできる角度
【図１】
2008212322.tif 000003
【図２】
2008212322.tif 000004
【図３】
2008212322.tif 000005
【図４】
2008212322.tif 000006
【図５】
2008212322.tif 000007
【図６】
2008212322.tif 000008
【図７】
2008212322.tif 000009
【図８】
2008212322.tif 000010
【図９】
2008212322.tif 000011